(57)【要約】【課題】プリンタが、実質的に同一の入力ＣＭＹＫ値に対して、実質的に同一の出力色応答を有するように制御すること。【解決手段】クラスタ化されるべき少なくとも１つのプリンタの前で、ＣＭＹＫ間の前変換を実行し、変換は、前変換を通して対処されるプリンタが、実質的に同一の入力ＣＭＹＫ値に対して実質的に同一の出力色を有することを確実にするように設計する。例えば、場におけるセンサを用いて、ＣＭＫ間の３ＤのＬＵＴ、及びＫに対する１ＤのＬＵＴを作る。【選択図】図１
2010220239.tif 000002
【特許請求の範囲】
【請求項１】
標準化された入力ＣＭＹＫ値をクラスタ化されたプリンタ環境に与える方法であって、
ａ）ＣＭＹＫ間のシステムＬＵＴを構築し、
ｂ）前記システムＬＵＴを、前記クラスタにおける少なくとも１つのプリンタの前に位置させる
ことからなる方法。
【請求項２】
クラスタ化されたプリンタ環境における入力ＣＭＹＫ値を標準化して、前記プリンタが、実質的に同一の入力ＣＭＹＫ値に対して実質的に同一の出力色を生成するようにする方法であって、
ａ）ＣＭＹＫ間のシステムＬＵＴを構築し、
ｂ）前記システムＬＵＴを、前記クラスタにおける少なくとも１つのプリンタの前に位置させて、
ｃ）前記プリンタの少なくとも１つを前記システムＬＵＴを通して対処する
ことからなる方法。
【請求項３】
共通の紙通路をもつプリンタのクラスタ化された構成を有し、標準化された入力ＣＭＹＫ値を与えて、前記少なくとも１つのプリンタが、実質的に同一の入力ＣＭＹＫに対して実質的に同一の出力色を生成するようにする印刷システムであって、
ａ）少なくとも１つのセンサＬＵＴをもつ共通のセンサと、
ｂ）前記クラスタにおける少なくとも１つのプリンタの前にあるＣＭＹＫ間のシステムＬＵＴと、
ｃ）前記少なくとも１つのプリンタを前記システムＬＵＴを通して対処するためのコントローラモジュールと、
を備えることを特徴とするシステム。
【請求項４】
クラスタ化された構成と、共通の仕上げ機とを有して標準化された入力ＣＭＹＫ値を与える印刷システムであって、
ａ）各々のクラスタ化されたプリンタの個々の紙通路において、少なくとも１つのセンサＬＵＴをもつ複数のセンサと、
ｂ）前記クラスタにおいて、少なくとも１つのプリンタの前にあるＣＭＹＫ間のシステムＬＵＴと、
ｃ）前記少なくとも１つのプリンタを前記システムＬＵＴを通して対処するためのコントローラモジュールと、
を備え、前記少なくとも１つのプリンタが、実質的に同一の入力ＣＭＹＫ値に対して実質的に同一の出力色を生成するようになったことを特徴とする印刷システム。
【発明の詳細な説明】
【技術分野】
【０００１】
本発明は、一般に、クラスタ化された印刷環境における入力ＣＭＹ及びＫ値を標準化する分野に関し、より具体的には、クラスタ化された印刷環境において、デジタル・フロント・エンド（ＤＦＥ）が、ＣＭＹ及びＫ値を装置非依存のＬ*ａ*ｂ*値に関連させて、ＣＭＹＫ値の共通の組がクラスタにおいて下にある多数の印刷エンジンのためのＤＦＥに呈されるようにするのを助ける基準に関する。
【背景技術】
【０００２】
閉ループ制御は、寛容度製品／プロセス設計の高価な精密部品又は広い窓に対する代用品になるため、次々と産業を崩壊させている。一般には、これらは、個々のサブシステムから製造・印刷システムを完成させるＩＯＴへと規模を拡げている。精密部品又は堅牢な開ループシステムのモデル化及び設計の代わりに閉ループ制御技術を用いることは、電気機械製品のための電子産業においてムーアの法則の費用曲線を捕捉する。予測可能な色の分散制御を入力出力端末（ＩＯＴ）の外で適用し、すべての好適に備えられた色をＩＯＴに「全く同様に」レンダリングし、印刷された色を表示装置上に精密にレンダリングできるようにすることは、カラークラスタ印刷を大きなインラインプリンタ（例えば、ゼログラフ及びオフセット）に対する選択肢として、及び分散印刷をプリントに対する実行可能な代替物として開放し、高品質のグラフィックアートのビジネスモデルを分配する。
【先行技術文献】
【特許文献】
【０００３】
【特許文献１】特開２００３−３２４６２５号公報
【特許文献２】特開２００２−１５２５２９号公報
【発明の概要】
【発明が解決しようとする課題】
【０００４】
本発明は、プリンタが、実質的に同一の入力ＣＭＹＫ値に対して、実質的に同一の出力色応答を有するように制御することにより、このような障壁を排除することに対して向けられる。
【課題を解決するための手段】
【０００５】
本発明は、クラスタ化されるべき少なくとも１つのプリンタの前で、ＣＭＹＫ間の前変換を実行し、変換は、前変換を通して対処されるプリンタが、実質的に同一の入力ＣＭＹＫ値に対して実質的に同一の出力色を有することを確実にするように設計される。１つの実行の形態として、場におけるセンサを用いて、ＣＭＫ間の３ＤのＬＵＴ、及びＫに対する１ＤのＬＵＴを作る方法が開示される。システムＬＵＴ、すなわち、ＣＭＹ間の３ＤのＬＵＴ、及びＫ間の１ＤのＬＵＴを利用することは、一貫性を改善し、コヒーレントな制御方策、及びクラスタ化された環境において標準化された入力ＣＭＹ及びＫ値を与える手段を与えるため、単一の又は多数のベンダーＤＦＥは、実質的に同一のＣＭＹＫ値を見る。
【図面の簡単な説明】
【０００６】
【図１】プリンタの画像通路において示されるシステムＬＵＴ［ＣＭＹ間の３ＤのＬＵＴ、及びＫ間の１ＤのＬＵＴ］、及びセンサＬＵＴ［ＬａｂからＣＭＹへの３ＤのＬＵＴ、Ｋに対するＬ*の１ＤのＬＵＴ］の用途を示す。
【図２】プリンタの画像通路において示されるシステムＬＵＴ［ＣＭＹＫ間の４ＤのＬＵＴ］、及びセンサＬＵＴ［スペクトルからＣＭＹＫへの］の用途を示す。
【図３】制御装置が、出力紙通路上に２つのセンサをもつ、すなわち各印刷エンジンに１つずつセンサをもつ個々のループにより示されるクラスタ化印刷エンジンの構成を示す。
【図４】制御装置が、共通の紙通路における１つのセンサをもつ個々のループにより示されるクラスタ化印刷エンジンの構成を示す。
【発明を実施するための形態】
【０００７】
場におけるセンサを用いて、ＣＭＫ間の３ＤのＬＵＴ、及びＫに対する１ＤのＬＵＴを作る方法が開示される。本発明は、クラスタ化されるべき少なくとも１つのプリンタの前で、ＣＭＹＫ間の前変換を実行し、変換は、前変換を通して対処されるプリンタが、実質的に同一の入力ＣＭＹＫ値に対して実質的に同一の出力色を有することを確実にするように設計される。グレイバランスされた（gray balanced）ＴＲＣ（ＧＢ ＴＲＣ）の前で、システムＬＵＴ、すなわち、ＣＭＹ間の３ＤのＬＵＴ、及びＫ間の１ＤのＬＵＴを利用することは、一貫性を改善し、コヒーレントな制御方策、及びクラスタ化された環境において標準化された入力ＣＭＹ及びＫ値を与える手段を与えるため、単一の又は多数のベンダーＤＦＥは、実質的に同一のＣＭＹＫ値を見るという利点を有する。
【０００８】
ＣＭＹＫ間の前変換は、クラスタ化されるべき少なくとも１つのプリンタの前で実行され、変換は、前変換を通して対処されるプリンタが、実質的に同一の入力ＣＭＹＫ値に対して、実質的に同一の出力色を有することを確実にするように設計される。グレイバランスされたＴＲＣの前で、システムＬＵＴ、すなわち、ＣＭＹＫ間の４ＤのＬＵＴを利用することは、一貫性を改善し、コヒーレントな制御方策、及びクラスタ化された環境において入力ＣＭＹ及びＫ値を与える手段を与えるため、単一の又は多数のベンダーＤＦＥは、実質的に同一のＣＭＹＫ値を見るという利点を有する。本明細書の技術に従って実行されるように、本発明は、クラスタ化された環境において、ＤＦＥが、プリンタに進む特定のＣＭＹ及びＫ値を、装置非依存のＬ*ａ*ｂ*値に関連させるのを助ける。本発明が適当な位置にあることにより、ＤＦＥベンダーは、より容易にＩＣＣ特性のような３Ｄ／４Ｄ特性を構築して、より精密に色管理機能を実行することができる。
【０００９】
ここで図１を参照すると、前変換は、システムＬＵＴ（３ＤのＣＭＹ間変換、及び１ＤのＫ間ＬＵＴ、又は、４ＤのＣＭＹＫ間ＬＵＴ）、及び、センサＬＵＴ（ＬａｂからＣＭＹへの、及びＬ*からＫへの１ＤのＬＵＴ、又はスペクトルからＣＭＹＫへのＬＵＴ／変換）として実行される。図１においては、デジタル・フロント・エンド（ＤＦＥ）は１０で、総合的に１２及び１４で示される入力ＣＭＹＫ値をシステムＬＵＴに与え、ＣＭＹ間の３Ｄ変換及びＫ間の変換が生じる。したがって、システムＬＵＴは、ブロック１６に対して、Ｃ’Ｍ’Ｙ’及びＫ’と示される一組の変換されたＣＭＹＫ値を与え、グレイバランスされたＣＭＹＫ間のＴＲＣプロセスが生じて、中間階調部及びマーキングモジュール１８に対して、Ｃ’’Ｍ’’Ｙ’’及びＫ’’と示される修正されたＣＭＹＫ値を与え、ピクセルはあらゆるゼログラフ印刷システムにおけるように、紙の上に印刷される。そこから生成されたデータは、分光光度計２０により読み取られ、２２で測定されたＬ*ａ*ｂ*値は、センサＬＵＴ２４に与えられる。ここで、Ｌ*ａ*ｂ*からＣＭＹへの変換及びＫ間の変換は、２６に示される、測定されたＣＭＹＫ値を生成する。モジュール２８は、センサＬＵＴ３４により生成された測定されたＣＭＹＫ値を取り上げ、３２及び３０でそれぞれ示される一組のＣＭＹ及びＫの参照値を用いて、そのＣＭＹ間及びＫ間の変換を実行して、ＣＭＹ間の３ＤのＬＵＴ及びＫ間のＬＵＴと示される一組のルックアップ表を生成する。３４では、ＣＭＹ間の３ＤのＬＵＴ及びＫ間のＬＵＴは、プリンタ（図示せず）により用いられて、試験目標ページを印刷する。目標物の印刷はまた、ＤＦＥによっても行うことができる。モジュール２８は、ＤＦＥに存在することができる。このプロセスは、モジュール２８からのＣＭＹＫ値が、モジュール１２及び１４に与えられる状態で、印刷された試験目標ページの出力色が満足できるものになるまで、必要に応じて繰り返される。
【００１０】
ここで図２を参照すると、処理ブロックはシステムＬＵＴを構築するのに用いられる。この例のために、ＣＭＹ間の３ＤのＬＵＴの最終システムＬＵＴは、１０3のデータ点を含み、Ｋ間のＬＵＴシステムに対しては２５６のデータ点を含むことが仮定される。図２においては、デジタル・フロント・エンド（ＤＦＥ）３６は、入力ＣＭＹＫ値をシステムＬＵＴ３８に与え、ＣＭＹＫ間の４Ｄ変換は、ブロック４０に対して、Ｃ’Ｍ’Ｙ’及びＫ’と示される修正されたＣＭＹＫ値を生成し、グレイバランスされたＣＭＹＫ間のＴＲＣプロセスが生じて、Ｃ’’Ｍ’’Ｙ’’及びＫ’’として示される修正されたＣＭＹＫ値を中間階調部及びマーキングモジュール４２に与える。ここから生成されたデータは、分光光度計４４により読み取られ、４６で測定されたスペクトル値は、センサＬＵＴ４８に与えられる。ここで、スペクトルからＣＭＹＫへの変換は、５０で測定されたＣＭＹＫ値を生成する。モジュール５２は、センサＬＵＴ４８により生成された測定されたＣＭＹＫ値を取り上げ、５４で一組のＣＭＹ参照値を用いて、ＣＭＹＫ間の４Ｄ変換を実行して、ＣＭＹＫ間の４ＤのＬＵＴと示される一組のルックアップ表を生成する。５６では、ＣＭＹＫ間の４ＤのＬＵＴは、プリンタ（図示せず）により用いられて、試験目標ページを印刷する。このプロセスは、モジュール５２からのＣＭＹＫ値が、システムＬＵＴ３８に与えられる状態で、印刷された試験目標ページの出力色が満足できるものになるまで、必要に応じて繰り返される。
【００１１】
本発明によれば、システムＬＵＴの構築は、（１）工場で行われる一時的な処理段階、及び（２）場の更新の実行、という２つのグループに分けることができる以下の段階を含む。
【００１２】
グレイバランスされたプリンタの完全な３Ｄフォワードマップは、最初に、黒色を含まない（すなわち、Ｋがゼロに設定された）ＣＭＹパッチを含む試験パッチを印刷することにより測定される。センサからの出力ＣＭＹ（すなわち、センサＬＵＴの出力、ＬａｂからＣＭＹへのＬＵＴ）は、これらの試験用パッチに対して取得される。この例においては、１０3のパッチが選択された。試験ページにおけるＣ、Ｍ、及びＹは、１０段階において、０から１００％までの間で変化される。
【００１３】
Ｃ＝Ｍ＝Ｙ＝０と設定することにより、幾つかのＫパッチが試験目標に印刷され（約２５６パッチであることが好ましい）、これらのＫ値（Ｃ＝Ｍ＝Ｙ＝０であるときのセンサＬＵＴの出力）が測定される。
【００１４】
当業者において一般に見出される補間ルーチンを用いて（三次線形／四面体）、この測定されたフォワードマップをアップサンプルする。アップサンプリングは、プリンタが、内部処理制御及びグレイバランスシステムによりどれだけ良好に線形化されているかによって、要求されないこともある。
【００１５】
次に、当業者に公知の動的最適化技術が適用されて、Ｋ分離に対する１ＤのシステムＬＵＴを生成するのに最適なノードが生成される。これは、反復的にクラスタ化された補間技術、又は移動マトリクスアルゴリズムのいずれかを用いたフォワードＬＵＴの逆マップである。
【００１６】
場においてシステムＬＵＴを更新する１つの方法は、該システムＬＵＴのすべてのノードで生成された試験パッチを印刷し測定することによるものである（例えば、一様にサンプリングされた１０3のノードをもつＣＭＹ及びＫ値）。換言すると、要求されるパッチの数は、システムＬＵＴに存在するノードと等しい数だけ選択される。特定のシステムによっては、これらのノードは多数になることがあり、測定及び制御が冗長で時間のかかるものとなる。したがって、サブサンプルされたノードが好ましい。
【００１７】
クリティカルノードのＣＭＹＫ値をもつ試験目標（クリティカルノードＬＵＴにおける出力ＣＭＹＫ）は、当業者に公知の圧縮アルゴリズムを用いて生成される。
【００１８】
サブサンプルされたＣＭＹＫの試験目標（クリティカルパッチに対する）は、センサ及びそのＬＵＴ出力により印刷され測定される（ＣＭＹパッチに対するＣＭＹ値、及びＫパッチに対するＫ値）。
【００１９】
逆マップのアップサンプルされた形態は、三次線形／四面体補間、及びサブサンプルされたＣＭＹＫ試験目標に対して測定されたＣＭＹＫ値を用いて作られる。この例においては、アップサンプルされた逆マップは、おおよそ１０3の大きさを有する。これは、所望のシステムＬＵＴ（ＣＭＹ間の３ＤのＬＵＴ及びＫ間の１ＤのＬＵＴ）を含む。このことは、後処理ということができる。この後処理は、更新が要求される毎に行われる。当業者は、すべてのノードが測定され制御された場合には、アップサンプルが必要ではないという事実を理解するであろう。
【００２０】
システムＬＵＴは、制限された数のノードを含むことができるので、これらのノードの外にある色に対しては、変換は、補間回路を用いることにより達成されることが好ましい。
【００２１】
センサＬＵＴは、ＣＭＹ及びＫ値を、色パッチの測定されたスペクトル／Ｌ*ａ*ｂ*値から抽出することが要求される。これは、２５3のＣＭＹパッチ及び約１０００のＫパッチのような高解像度を用いて作られて、補間誤差を最小にすることが好ましい。ＣＭＹＫ試験パッチ目標は、最初に印刷され、選択された参照プリンタ上のこれらのＬ*ａ*ｂ*値が測定される。三次線形又は四面体補間は、センサＬＵＴに対する一様にサンプリングされた入力を構築するのに用いられる。一様なサンプリングは、この作業を行うのに必要ではない。同じセンサＬＵＴは、クラスタ内のすべての他のプリンタに用いることができる。このＬＵＴは、システムＬＵＴと比較すると、すべての印刷エンジンにおいて静的に取り扱われ、したがって、場において、さらなる更新は必要ではない。ところが、プリンタのホストに渡り、色を一貫して保持し、ＤＦＥが、クラスタ化されたプリンタに対して実質的に同一のＣＭＹＫ値を見るようにするためには、システムＬＵＴは、上に示される制御段階を用いて、常に更新される必要がある。
【００２２】
図３及び図４は、クラスタ化印刷エンジンの構成を示し、図３においては、制御装置が出力紙通路上に２つのセンサ、すなわち各印刷エンジンにセンサを１つずつもつ個々のループにより示され、図４においては、制御装置が共通の紙通路に１つのセンサをもつ個々のループにより示されている。
【００２３】
ここで図３を参照すると、ユーザは、計算機システム５８上にあるカラーの絵を、各々がこれら自体のＤＦＥ６０及び７４を有する２つの印刷装置、及び印刷エンジン６２及び７２からなるクラスタ化された印刷環境に送ることにより、これを印刷することを望んでいる。これらの２つの印刷装置は、共通の仕上げ機６６を共有し、プリントは、この後で出力部６８に向けられる。印刷されることが意図される絵を含む色は、共通のＡＩＭ曲線を用いて処理されて、前述の少なくとも１つのプリンタのＤＦＥに与えられる。図３のＤＦＥ６０及び７４は、図１及び図２のいずれかにおけるすべての処理を具体化する。図３においては、各印刷エンジンと関連する６４及び７０で示される反復的なプロセスは、図１又は図２のいずれかにおいて起きていることに対応する。図１及び図２に述べられるように、グレイバランスされたＴＲＣ及びＣＭＹ間及びＫ間のＬＵＴは、カラーの絵を含む色値を調整する。これらのＬＵＴは、図１及び図２のいずれかの説明にしたがって先に生成された。オンライン又はオフラインのいずれの様式においても、ＤＦＥ６０及び７４は、６４及び７０のそれぞれに示されるように、カラーの絵を反復的に調整する。或いは、オンライン又はオフラインのいずれの様式においても、印刷エンジン６２及び７２は、６４及び７０のそれぞれに示されるように、カラーの絵を反復的に調整する。これによる結果は、６８で出力される前に、共通の仕上げ機６６に進められる。
【００２４】
ここで図４を参照すると、ユーザは、計算機システム５８上にあるカラーの絵を、共通のＤＦＥ６０を共有し、これら自体の印刷エンジン６２及び７２のそれぞれを有する２つの印刷装置からなるクラスタ化された印刷環境に送ることにより、これを印刷することを望んでいる。これらの印刷装置は、紙マージモジュール７８及び共通の仕上げ機を共有し、プリントは、この後で出力部６８に向けられる。印刷されることが意図される絵を含む色は、ＤＦＥ６０に与えられて、図１及び図２のいずれかにおけるすべての処理が具体化される。図４においては、各印刷エンジンと関連する６４及び７０で示される反復的なプロセスは、図１又は図２のいずれかにおいて起きていることに対応する。図１及び図２に述べられるように、グレイバランスされたＴＲＣ及びＣＭＹ間及びＫ間のＬＵＴは、カラーの絵を含む色値を調整する。これらのＬＵＴは、図１及び図２のいずれかの説明にしたがって先に生成された。オンライン又はオフラインのいずれの様式においても、ＤＦＥ６０及び７４は、６４及び７０のそれぞれに示されるように、カラーの絵を反復的に調整する。これによる結果は、６８で出力される前に、共通の仕上げ機６６に進められる。
【００２５】
上述の制御装置を導入することにより、クラスタ印刷の他の核となる能力（ジョブの分割、負荷のバランス化、自動ルーティング、ジョブの一体性など）は、妥協されない。図３及び図４における制御ループ間の点線は、プリンタ間の通信を表す。
【００２６】
プリンタ間の変動は、制御ループがシステムＬＵＴを更新するときに補償される。例えば、同じファミリーのプリンタ間に見られる共通の変動は、プリンタの異なるダイネミックレンジに起因するコントラスト変動である（異なるＤｍａｘ／Ｌ*ｍｉｎ）。センサは、ダイナミックレンジにおける差異を測定することができ、ＣＭＹＫは、共通のダイナミックレンジを達成するように正規化することができる。全領域における他の差異もまた、ＣＭＹＫ間の変換に対して補償され、かつこれに組み入れられることになる。
【００２７】
８ビットのシステムにおいては、ＣＭＹ間の３ＤのＬＵＴは、２４ビットのシステムを用いることが好ましく、ＣＭＹＫ間の４ＤのＬＵＴは、３２ビットのシステムを用いることが好ましい。一般には、３Ｄ／４ＤのＬＵＴに対して１７の３乗が好ましい。少ないノードがルックアップ表において用いられる場合には、三次線形／四面体補間法に基づくハードウェア又はソフトウェアが好ましい。
【符号の説明】
【００２８】
１０：デジタル・フロント・エンド（ＤＦＥ）
１２：入力ＣＭＹＫ値
１４：システムＬＵＴ
１８：中間階調部及びマーキングモジュール
２４：センサＬＵＴ
【図１】
2010220239.tif 000003
【図２】
2010220239.tif 000004
【図３】
2010220239.tif 000005
【図４】
2010220239.tif 000006
【手続補正書】
【提出日】平成22年5月13日(2010.5.13)
【手続補正１】
【補正対象書類名】特許請求の範囲
【補正対象項目名】全文
【補正方法】変更
【補正の内容】
【特許請求の範囲】
【請求項１】
標準化された入力ＣＭＹＫ値をクラスタ化された印刷環境に与えて、１つのプリンタが、実質的に同一の入力ＣＭＹＫに対して実質的に同一の出力色を生成するようにする印刷方法であって、
ａ）デジタル画像をＣＭＹＫ値で受け取り、
ｂ）システムＬＵＴを用いて前記ＣＭＹＫ値を一組のＣＭＹＫ値へ変換し、
ｃ）前記一組のＣＭＹＫ値にグレイバランスされたＣＭＹＫ間のＴＲＣプロセスを実行して修正されたＣＭＹＫ値を得、
ｄ）前記修正されたＣＭＹＫ値を印刷し、
ｅ）前記印刷から生成されたデータを読み取り、
ｆ）前記読み取ったデータを変換して測定されたＣＭＹＫ値を生成し、
ｇ）一組の参照値を用いて前記測定されたＣＭＹＫ値から一組のルックアップ表を生成し、
ｈ）前記一組のルックアップ表の情報を用いて前記デジタル画像を印刷する、
ことを備え、
前記システムＬＵＴは、ＣＭＹ間の３ＤのＬＵＴ及びＫ間のＬＵＴであり、
前記読み取ったデータは、Ｌ*ａ*ｂ*値であり、
前記測定されたＣＭＹＫ値は、前記Ｌ*ａ*ｂ*からＣＭＹへの変換及びＫ間の変換を通じて生成され、
前記一組の参照値は、一組のＣＭＹ及びＫの参照値であり、
前記一組のルックアップ表は、前記一組のＣＭＹ及びＫの参照値を用いて、前記測定されたＣＭＹＫ値にＣＭＹ間及びＫ間の変換を実行することにより生成され、ＣＭＹ間の３ＤのＬＵＴ及びＫ間のＬＵＴとして示され、
前記情報は、前記ＣＭＹ間の３ＤのＬＵＴ及びＫ間のＬＵＴである、ことを特徴とする印刷方法。
【請求項２】
標準化された入力ＣＭＹＫ値をクラスタ化された印刷環境に与えて、１つのプリンタが、実質的に同一の入力ＣＭＹＫに対して実質的に同一の出力色を生成するようにする印刷方法であって、
ａ）デジタル画像をＣＭＹＫ値で受け取り、
ｂ）システムＬＵＴを用いて前記ＣＭＹＫ値を一組のＣＭＹＫ値へ変換し、
ｃ）前記一組のＣＭＹＫ値にグレイバランスされたＣＭＹＫ間のＴＲＣプロセスを実行して修正されたＣＭＹＫ値を得、
ｄ）前記修正されたＣＭＹＫ値を印刷し、
ｅ）前記印刷から生成されたデータを読み取り、
ｆ）前記読み取ったデータを変換して測定されたＣＭＹＫ値を生成し、
ｇ）一組の参照値を用いて前記測定されたＣＭＹＫ値から一組のルックアップ表を生成し、
ｈ）前記一組のルックアップ表の情報を用いて前記デジタル画像を印刷する、
ことを備え、
前記システムＬＵＴは、ＣＭＹＫ間の４ＤのＬＵＴであり、
前記読み取ったデータは、スペクトル値であり、
前記測定されたＣＭＹＫ値は、スペクトル値からＣＭＹＫへの変換を通じて生成され、
前記一組の参照値は、一組のＣＭＹ参照値であり、
前記一組のルックアップ表は、前記一組のＣＭＹ参照値を用いて、前記測定されたＣＭＹＫ値にＣＭＹＫ間の４Ｄ変換を実行することにより生成され、ＣＭＹＫ間の４ＤのＬＵＴとして示され、
前記情報は、ＣＭＹＫ間の４ＤのＬＵＴである、ことを特徴とする印刷方法。
【請求項３】
標準化された入力ＣＭＹＫ値をクラスタ化された印刷環境に与えて、１つのプリンタが、実質的に同一の入力ＣＭＹＫに対して実質的に同一の出力色を生成するようにする印刷システムであって、
ａ）デジタル画像をＣＭＹＫ値で受け取る手段と、
ｂ）前記ＣＭＹＫ値を一組のＣＭＹＫ値へ変換するシステムＬＵＴと、
ｃ）前記一組のＣＭＹＫ値にグレイバランスされたＣＭＹＫ間のＴＲＣプロセスを実行して修正されたＣＭＹＫ値を得る手段と、
ｄ）前記修正されたＣＭＹＫ値を印刷する手段と、
ｅ）前記印刷から生成されたデータを読み取る手段と、
ｆ）前記読み取ったデータを変換して測定されたＣＭＹＫ値を生成する手段と、
ｇ）一組の参照値を用いて前記測定されたＣＭＹＫ値から一組のルックアップ表を生成する手段と、
ｈ）前記一組のルックアップ表の情報を用いて前記デジタル画像を印刷する手段と、
を備え、
前記システムＬＵＴは、ＣＭＹ間の３ＤのＬＵＴ及びＫ間のＬＵＴであり、
前記読み取ったデータは、Ｌ*ａ*ｂ*値であり、
前記測定されたＣＭＹＫ値は、前記Ｌ*ａ*ｂ*からＣＭＹへの変換及びＫ間の変換を通じて生成され、
前記一組の参照値は、一組のＣＭＹ及びＫの参照値であり、
前記一組のルックアップ表は、前記一組のＣＭＹ及びＫの参照値を用いて、前記測定されたＣＭＹＫ値にＣＭＹ間及びＫ間の変換を実行することにより生成され、ＣＭＹ間の３ＤのＬＵＴ及びＫ間のＬＵＴとして示され、
前記情報は、前記ＣＭＹ間の３ＤのＬＵＴ及びＫ間のＬＵＴである、ことを特徴とする印刷システム。
【請求項４】
標準化された入力ＣＭＹＫ値をクラスタ化された印刷環境に与えて、１つのプリンタが、実質的に同一の入力ＣＭＹＫに対して実質的に同一の出力色を生成するようにする印刷システムであって、
ａ）デジタル画像をＣＭＹＫ値で受け取る手段と、
ｂ）前記ＣＭＹＫ値を一組のＣＭＹＫ値へ変換するシステムＬＵＴと、
ｃ）前記一組のＣＭＹＫ値にグレイバランスされたＣＭＹＫ間のＴＲＣプロセスを実行して修正されたＣＭＹＫ値を得る手段と、
ｄ）前記修正されたＣＭＹＫ値を印刷する手段と、
ｅ）前記印刷から生成されたデータを読み取る手段と、
ｆ）前記読み取ったデータを変換して測定されたＣＭＹＫ値を生成する手段と、
ｇ）一組の参照値を用いて前記測定されたＣＭＹＫ値から一組のルックアップ表を生成する手段と、
ｈ）前記一組のルックアップ表の情報を用いて前記デジタル画像を印刷する手段と、
を備え、
前記システムＬＵＴは、ＣＭＹＫ間の４ＤのＬＵＴであり、
前記読み取ったデータは、スペクトル値であり、
前記測定されたＣＭＹＫ値は、スペクトル値からＣＭＹＫへの変換を通じて生成され、
前記一組の参照値は、一組のＣＭＹ参照値であり、
前記一組のルックアップ表は、前記一組のＣＭＹ参照値を用いて、前記測定されたＣＭＹＫ値にＣＭＹＫ間の４Ｄ変換を実行することにより生成され、ＣＭＹＫ間の４ＤのＬＵＴとして示され、
前記情報は、ＣＭＹＫ間の４ＤのＬＵＴである、ことを特徴とする印刷システム。